(57)【特許請求の範囲】
【請求項１】
支持枠の内側で、可撓性材料からなる袋状の穀類容器の上部開口縁を保持して該穀類容器を吊持し、その穀類容器の下部側にその中に収納した穀類を排出する排出部を設ける穀類輸送用コンテナにおいて、
前記穀類容器は、周囲全面に亘って可撓性材料からなり、かつ該穀類容器の外周に取付リングを周方向に間隔をあけて複数個固定し、
これら取付リングに挿通して、縮む方向に付勢されてなる長手の弾性体を前記穀類容器の外周を取り囲むように張設し、
前記長手の弾性体は、前記穀類容器を、該穀類容器内から排出して減じる穀類の容量に応じて内側に絞り込み、該穀類が前記排出部に向けてすべり落ちるように、周囲全面に亘って縮径するように変形する付勢力を有する、
ことを特徴とする穀類輸送用コンテナ。
【請求項２】
前記長手の弾性体を、前記穀類容器の外周で上下複数段に取り付けたことを特徴とする請求項１に記載の穀類輸送用コンテナ。
【請求項３】
前記取付リングが、前記穀類容器の外周に、上下交互にずらして周方向に間隔をあけて固定され、
エンドレス状に連なる前記長手の弾性体が、前記取付リングに挿通して前記穀類容器の外周を取り囲むように配設されてなる、
ことを特徴とする請求項１に記載の穀類輸送用コンテナ。
【発明の詳細な説明】
【０００１】
【発明の属する技術分野】
この発明は、コンバインなどを用いて収穫した穀類を穀類容器内に収納し、トラック等の荷台に搭載して作業処理場などへ輸送するための穀類輸送用コンテナに係る技術分野に属する。
【０００２】
【従来の技術】
従来、この種の穀類輸送用コンテナの中には、一般に直方体形状に枠組みした支持枠内で、たとえば鉄板を用いて、上部に穀類投入口を大きく開け、下部にその中に収納した穀類を排出する排出口を設けて、図６に示すように略じょうご形に形成した穀類容器１を吊設した構成としたものがある。
【０００３】
【発明が解決しようとする課題】
ところが、そのような従来の穀類輸送用コンテナでは、全体を変形しない鉄板を用いて形成するため、穀類容器１の略逆三角錐形状をなす排出側斜面１ａの水平面２に対する傾斜角度αを、安息角をβとすると、少なくともその安息角β以上に形成する必要がある。したがって、それだけ穀類容器１内に穀類を収容する容積が小さくなり、その結果、穀類の輸送効率が悪くなるという課題があった。
【０００４】
本発明の目的は、穀類輸送用コンテナにおいて、穀類容器内での穀類の収容容積が小さくなることなく、排出時、穀類を排出途中で滞留させずに効果的に排出できるようにして輸送効率をアップさせることにある。
【０００５】
【課題を解決するための手段】
そのため、請求項１に記載の発明の目的は、たとえば、以下の図面を用いて説明する実施の形態のとおり、直方体形状に枠組みした支持枠１０の内側で、可撓性材料からなる袋状の穀類容器１５の上部開口縁１５ａを保持して該穀類容器１５を吊持し、その穀類容器１５の下部側にその中に収納した穀類を排出する排出部１６を設ける穀類輸送用コンテナにおいて、前記穀類容器１５の上部寄り外周に、その穀類容器１５内から排出して減じる穀類の容量に応じて、袋形状を内側に絞り込む、たとえばゴム紐２０のような長手の弾性体を取り付けたことにより達成される。
【０００６】
そして、穀類の排出時、穀類容器１５内で減じる穀類の容量に応じて、弾性体で穀類容器１５の袋形状を内側に絞り込み、その穀類容器１５内で穀類をすべり落とすように排出部１６から排出する。前記長手の弾性体２１は、周囲全面に亘って可撓性材料からなる穀類容器１５を周囲全周に亘って縮径するように変形する付勢力を有する。
【０００７】
請求項２に記載の発明の目的は、請求項１に記載の穀類輸送用コンテナにおいて、前記弾性体を、前記穀類容器１５の外周で上下複数段に取り付けたことにより達成される。
【０００８】
請求項３に記載の発明の目的は、請求項１に記載の穀類輸送用コンテナにおいて、たとえば以下の図面を用いて説明する実施の形態のとおり、前記弾性体を、前記穀類容器１５の外周に周方向に間隔をあけて取付リング２１のような取付具で取り付け、その取付位置を交互に上下にずらせたことにより達成される。
【０００９】
【発明の実施の形態】
以下、図面を参照しつつ、この発明の実施の形態について説明する。
【００１０】
図１に、この発明による穀類輸送用コンテナの一例を示す。図示穀類輸送用コンテナは、図中符号１０で示す支持枠を備える。支持枠１０は、上下の方形枠１１，１２と、それらの四隅間に設ける垂直枠杆１３と、その垂直枠杆１３の下側で横架した横枠杆１４とで、たとえば立方体形状に枠組みして構成する。
【００１１】
そして、この支持枠１０で穀類容器１５を支持する。穀類容器１５は、周囲全面に亘って可撓性を有する、たとえば防水加工したキャンパス布地や合成繊維布地などで、上部に穀類投入口ａを大きく開け、下部にその中に収納する穀類を排出する排出口ｂを開けて袋形状につくる。そうして、上方形枠１１に、穀類投入口ａの開口縁１５ａを袋とじして連結し、支持枠１０の内側で吊設する。
【００１２】
この穀類容器１５は、その排出口ｂの周りに排出部１６を設ける。排出部１６は、排出口ｂを構成する布縁を、横枠杆１４に固定する方形枠構造の取付枠１７に取り付けて構成し、その取付枠１７に排出口ｂを開閉するスライドシャッタ１８を取り付けてなる。そして、取付枠１７を下方形枠１２で支持するジョイントケース１９の上部にスライドシャッタ１８を介して結合してなる。
【００１３】
さらに、穀類容器１５は、穀類投入口ａ寄りの外周に、たとえばゴム紐（この発明でいう「長手の弾性体」）２０を掛け回して複数の取付リング（取付具）２１で取り付けてなる。なお、弾性体としてはゴム紐２０に限らず、適宜長手バネ材や樹脂製帯材など使用することもできる。
【００１４】
そして、図示コンテナでは、ジョイントケース１９の下部にスクリューコンベア２５を着脱自在に連結する。スクリューコンベア２５は、基端を、動力用モータ２６と動力伝達接続ボス２７を介して連結する。なお、図中符号２８はジョイントケース回動用ローラである。
【００１５】
さて、上述した穀類輸送用コンテナでは、コンバインなどを用いて収穫した穀類を、図２に示すように空袋状態の穀類容器１５内に穀類投入口ａから投入し、図３に示すように満杯になるまで収納する。収納後、図示コンテナをトラック等の荷台に搭載して作業処理場などへ輸送する。
【００１６】
輸送後、穀類排出時は、ジョイントケース１９の下部に有するガイド溝２９を通して前記スクリューコンベア２５の基端を前記動力用モータ２６に連結する。しかる後、ジョイントケース１９の横に設置するスイッチ操作盤３０を操作してスクリューコンベア２５を作動する。
【００１７】
そして、スライドシャッタ１８を、図１に示すシャッタ取手１８ａを持って引き出して排出口ｂを開ける。しかして、穀類容器１５内から穀類を排出口ｂを通して排出し、さらにスクリューコンベア２５で外部に送り出す。
【００１８】
そして、この実施の形態では、穀類排出時に、穀類容器１５内で減じる穀類の容量に応じて、ゴム紐２０で穀類容器１５の袋形状を鎖線で示す満杯状態から、周囲全面に亘って縮径するように内側に徐々に絞り込み、穀類を排出途中で滞留することなく、穀類容器１５内ですべり落ちるように排出する。
【００１９】
ところで、上述した穀類輸送用コンテナでは、ゴム紐２０を穀類容器１５の外周に周方向に間隔をあけて取付リング２１で取り付けるが、たとえば図４に示すように垂直枠杆１３間でＶ字状になるように、その取付位置を交互に上下にずらせて掛け回す構成とする。
【００２０】
そして、この実施形態では、穀類排出時に、穀類容器１５内で減じる穀類の容量に応じて穀類容器１５の袋形状をゴム紐２０で内側に絞り込むが、そのとき、ゴム紐２０は、その取付位置を取付リング２１で交互に上下にずらせて掛け回しているため、図５に示すように、穀類穀類１５を、ほとんど弛みなく突っ張った状態とし、これにより、排出途中ですべて穀類を滞留することなく、確実にすべり落として排出する。
【００２１】
ところでまた、上述した図示の実施の形態では、ゴム紐２０を、穀類容器１５の外周に一巻きして設ける。しかし、この発明では、図示しないが、穀類容器１５の外周にゴム紐などの長手の弾性体を上下複数段に掛け回して取り付ける構成にしてもよい。
【００２２】
【発明の効果】
上述のように本発明の構成によれば、次のような効果が得られる。
【００２３】
請求項１〜３に記載の発明によれば、穀類容器の上部寄り外周に長手の弾性体を取り付け、穀類の排出時には、穀類容器内で減じる穀類の容量に応じて、その弾性体で穀類容器の袋形状を内側に絞り込んで穀類を穀類容器内から排出する構成とし、従来のように穀類容器の排出側斜面の角度が常時安息角以上となる形状としないため、それだけ穀類容器内での穀類の収容容積を大きくすることができ、その結果、穀類の輸送効率をアップさせることができる。
【００２４】
また、弾性体で穀類容器の袋形状を内側に絞り込んで穀類を穀類容器内から排出する構成であるため、穀類容器に生ずる弛みを少なくし、穀類を排出途中で滞留させることなく効果的に排出することができる。さらに、鉄板などの重量のある部材で穀類容器を形成しないため、取り扱いに便利である。
【００２５】
請求項３に記載の発明によれば、加えて、前記弾性体を、穀類容器の外周に周方向に間隔をあけて取付具で取り付け、その取付位置を交互に上下にずらせて掛け回す構成であるため、穀類排出時に穀類容器の下部側を弛みなく突っ張った状態とし、これにより、排出途中で穀類を滞留することなく、より確実に排出部から排出することができる。
【図面の簡単な説明】
【図１】  請求項１に記載の発明による穀類輸送用コンテナの一例を示す縦断面図である。
【図２】  その穀類輸送用コンテナを穀類容器の空袋状態において示す斜視図である。
【図３】  その穀類輸送用コンテナを穀類容器の満杯状態において示す斜視図である。
【図４】  その穀類輸送用コンテナの他例を穀類容器の満杯状態において示す斜視図である。
【図５】  その穀類輸送用コンテナを穀類容器の空袋状態において示す斜視図である。
【図６】  従来の穀類輸送用コンテナに備える穀類容器の排出口側斜面の傾斜角度を説明する概略図である。
【符号の説明】
１０    支持枠
１５    穀類容器
１５ａ  上部開口縁
１６    排出部
２０    ゴム紐（弾性体）
２１    取付リング（取付具）
２５    スクリューコンベア
２６    動力用モータ
【図１】
0004498485.tif 000002
【図２】
0004498485.tif 000003
【図３】
0004498485.tif 000004
【図４】
0004498485.tif 000005
【図５】
0004498485.tif 000006
【図６】
0004498485.tif 000007